(57)【要約】信号を複数回繰り返し送受信することに起因する不具合を回避し、無線基地局との通信を適切に行う無線通信装置を提供する。無線基地局２００から送信される無線信号の受信電力レベルに応じた繰り返し送受信が実施される無線通信装置１００であって、繰り返し複数回送信される物理下りリンク制御チャネルを受信する受信部１１０と、複数回送信される物理下りリンク制御チャネルを合成する合成部１３１と、合成した物理下りリンク制御チャネルから、間欠受信制御におけるアクティブ状態を管理するためのタイマの起動要否を検出し、起動不要を検出した場合、前記タイマを起動することなく、既に起動済みのタイマを停止して、前記非アクティブ状態に遷移する間欠受信制御部１４０と、を備える。
2017082244.tif 000002
【特許請求の範囲】
【請求項１】
無線基地局から送信される無線信号の受信電力レベルに応じた繰り返し送受信が実施される無線通信装置であって、
繰り返し複数回送信される物理下りリンク制御チャネルを受信する受信部と、
前記複数回送信される物理下りリンク制御チャネルを合成する合成部と、
合成した物理下りリンク制御チャネルから、間欠受信制御におけるアクティブ状態を管理するためのタイマの起動要否を検出し、起動不要を検出した場合、前記タイマを起動することなく、既に起動済みのタイマを停止して、非アクティブ状態に遷移する間欠受信制御部と、を備えること
を特徴とする無線通信装置。
【請求項２】
無線基地局から送信される無線信号の受信電力レベルに応じた繰り返し送受信が実施される無線通信装置であって、
繰り返し複数回送信される物理下りリンク制御チャネルと、繰り返し複数回送信される物理下りリンク共有チャネルとを受信する受信部と、
前記複数回送信される物理下りリンク制御チャネルおよび前記複数回送信される物理下りリンク共有チャネルを合成する合成部と、
合成した前記物理下りリンク制御チャネルに基づいた前記物理下りリンク共有チャネルの受信後に、間欠受信制御におけるアクティブ状態を管理するためのタイマを起動する間欠受信制御部と、を備え、
前記間欠受信制御部は、前記タイマが満了した場合に非アクティブ状態に遷移すること
を特徴とする無線通信装置。
【請求項３】
請求項２記載の無線通信装置であって、
前記物理下りリンク共有チャネルの受信後は、前記物理下りリンク共有チャネルを所定回数受信したタイミング、前記物理下りリンク共有チャネルを最後に受信したタイミング、前記物理下りリンク共有チャネルを最初に受信したタイミング、前記物理下りリンク共有チャネルの復号に成功したタイミング、または、前記物理下りリンク共有チャネルに対するＡＣＫまたはＮＡＣＫを送信したタイミングであること
を特徴とする無線通信装置。
【請求項４】
無線基地局から送信される無線信号の受信電力レベルに応じた繰り返し送受信が実施される無線通信装置であって、
繰り返し複数回送信される物理下りリンク制御チャネルを受信する受信部と、
前記複数回送信される物理下りリンク制御チャネルを合成する合成部と、
前記物理下りリンク制御チャネルの復号に成功したタイミングで、間欠受信制御におけるアクティブ状態を管理するためのタイマを起動する間欠受信制御部と、を備え、
前記間欠受信制御部は、最初に物理下りリンク制御チャネルの受信を試みる時点から前記タイマを起動した時点までの期間を加味したタイマ時間で、前記タイマを起動し、
前記間欠受信制御部は、前記タイマが満了した場合に非アクティブ状態に遷移すること
を特徴とする無線通信装置。
【請求項５】
無線基地局から送信される無線信号の受信電力レベルに応じた繰り返し送受信が実施される無線通信装置であって、
繰り返し複数回送信される物理下りリンク制御チャネルを受信する受信部と、
前記複数回送信される物理下りリンク制御チャネルを合成する合成部と、
前記複数回送信される物理下りリンク制御チャネルのうち最後の前記物理下りリンク制御チャネルを受信したタイミングで、間欠受信制御におけるアクティブ状態を管理するためのタイマを起動する間欠受信制御部と、を備え、
前記間欠受信制御部は、前記タイマが満了した場合に非アクティブ状態に遷移すること
を特徴とする無線通信装置。
【請求項６】
無線基地局から送信される無線信号の受信電力レベルに応じた繰り返し送受信が実施される無線通信装置であって、
繰り返し複数回送信される物理下りリンク制御チャネルを受信する受信部と、
前記複数回送信される物理下りリンク制御チャネルを合成する合成部と、
前記物理下りリンク制御チャネルを受信する度に、間欠受信制御におけるアクティブ状態を管理するためのタイマを起動する間欠受信制御部と、を備え、
前記間欠受信制御部は、前記タイマが満了した場合に非アクティブ状態に遷移すること
を特徴とする無線通信装置。
【請求項７】
無線基地局から送信される無線信号の受信電力レベルに応じた繰り返し送受信が実施される無線通信装置であって、
繰り返し複数回送信される物理下りリンク制御チャネルを受信する受信部と、
前記物理下りリンク制御チャネルの復号を試み、復号に成功した場合、後続の繰り返し送信される物理下りリンク制御チャネルの復号を行わない、または、後続の繰り返し送信される物理下りリンク制御チャネルの復号に成功した場合は当該物理下りリンク制御チャネルを破棄する復号部と、を備え、
前記受信部は、最初に復号に成功した物理下りリンク制御チャネルに基づいて、繰り返し複数回送信される物理下りリンク共有チャネルの受信を試みること
を特徴とする無線通信装置。
【請求項８】
無線基地局から送信される無線信号の受信電力レベルに応じた繰り返し送受信が実施される無線通信装置であって、
繰り返し複数回送信される物理下りリンク制御チャネルを受信する受信部と、
前記物理下りリンク制御チャネルの復号を試み、最初に復号に成功した後に、後続の繰り返し送信される物理下りリンク制御チャネルを用いて異なる物理下りリンク制御チャネルの復号に成功した場合、先に復号した物理下りリンク制御チャネルを破棄する復号部と、を備え、
前記受信部は、後に復号した前記物理下りリンク制御チャネルに基づいて、繰り返し複数回送信される物理下りリンク共有チャネルの受信を試みること
を特徴とする無線通信装置。
【請求項９】
無線基地局から送信される無線信号の受信電力レベルに応じた繰り返し送受信が実施される無線通信装置であって、
繰り返し複数回送信される物理下りリンク制御チャネルを受信する受信部と、
前記物理下りリンク制御チャネルの復号を試み、最初に前記物理下りリンク制御チャネルの復号に成功した後であっても、後続の繰り返し送信される物理下りリンク制御チャネルを用いて異なる物理下りリンク制御チャネルの復号を試みる復号部と、を備え、
前記受信部は、異なる複数の物理下りリンク制御チャネルの復号に成功した場合、復号に成功した各物理下りリンク制御チャネルに基づいて、繰り返し複数回送信される物理下りリンク共有チャネルの受信を試みること
を特徴とする無線通信装置。
【発明の詳細な説明】
【技術分野】
【０００１】
本発明は、無線基地局から送信される無線信号の受信電力レベルに応じた繰り返し送受信が実施される無線通信装置に関する。
【背景技術】
【０００２】
３ＧＰＰ（3rd Generation Partnership Project）のリリース１３において、ＩｏＴ（Internet of Things）シナリオを想定したＭＴＣ（Machine  Type  Communication）向けに、ＬＣ（Low Complexity）、及びＥＣモード（Enhanced Coverage mode）のユーザ装置の検討が進められている（非特許文献１参照）。【０００３】
また、ＬＴＥ（Long Term Evolution）システムでは、ユーザ装置（無線通信端末）のバッテリーセービングを目的として、ＤＲＸ（Discontinuous Reception）制御を採用している（非特許文献２参照）。
【先行技術文献】
【非特許文献】
【０００４】
【非特許文献１】3GPP RP-1504925, “Further LTE Physical Layer Enhancements for MTC”、3GPP、２０１５年３月
【非特許文献２】3GPP TS 36.321 version 12.4.0 Release 12  LTE;  Evolved Universal Terrestrial Radio Access (E-UTRA); Medium Access Control (MAC) protocol specification、3GPP、２０１４年１２月
【発明の概要】
【０００５】
狭帯域通信を実現するために、ＭＴＣ用ユーザ装置は、一度に受信できるビット数に制限がある。このため、ＭＴＣ用ユーザ装置では、ＰＤＣＣＨ（物理下りリンク制御チャネル）と、ＰＤＳＣＨ（物理下りリンク共有チャネル）とを、別のサブフレームで送信し、リソースの割り当てを行うことが検討されている。
【０００６】
また、ＥＣモードは、ユーザ装置が電波の届きにくい地下室等に設置されているようなケースを考慮したものであり、セルのカバレッジを拡張することを目的とする。そのため、ＥＣモードが適用されるユーザ装置は、信号を複数回繰り返し送受信することで、所要の品質を満たすことを想定しているが、以下のような様々な課題がある。
【０００７】
ＤＲＸ制御を行う場合、信号を複数回繰り返し送受信するため、ユーザ装置は、アクティブ状態を管理するためのタイマを長く設定する必要があり、バッテリー消費が増大する。ＤＲＸ制御を行う場合、ユーザ装置のＤＲＸ状態（アクティブ状態、非アクティブ状態）について、ユーザ装置と無線基地局との間で、不一致が発生する可能性がある。ユーザ装置がＰＤＣＣＨを誤って受信してしまうことで、ユーザ装置と無線基地局との間で、リソースの不一致が発生する可能性がある。ユーザ装置がＰＤＣＣＨを適切に受信できない場合、無線基地局は、無駄にＰＤＳＣＨを送信することになる。
【０００８】
本発明は、このような状況に鑑みてなされたものであり、信号を複数回繰り返し送受信することに起因する不具合を回避し、無線基地局との通信を適切に行う無線通信装置の提供を目的とする。
【０００９】
本発明の一態様は、無線基地局から送信される無線信号の受信電力レベルに応じた繰り返し送受信が実施される無線通信装置であって、繰り返し複数回送信される物理下りリンク制御チャネルを受信する受信部と、前記複数回送信される物理下りリンク制御チャネルを合成する合成部と、合成した物理下りリンク制御チャネルから、間欠受信制御におけるアクティブ状態を管理するためのタイマの起動要否を検出し、起動不要を検出した場合、前記タイマを起動することなく、既に起動済みのタイマを停止して、非アクティブ状態に遷移する間欠受信制御部と、を備えることを要旨とする。
【００１０】
本発明の一態様は、無線基地局から送信される無線信号の受信電力レベルに応じた繰り返し送受信が実施される無線通信装置であって、繰り返し複数回送信される物理下りリンク制御チャネルと、繰り返し複数回送信される物理下りリンク共有チャネルとを受信する受信部と、前記複数回送信される物理下りリンク制御チャネルおよび前記複数回送信される物理下りリンク共有チャネルを合成する合成部と、合成した前記物理下りリンク制御チャネルに基づいた前記物理下りリンク共有チャネルの受信後に、間欠受信制御におけるアクティブ状態を管理するためのタイマを起動する間欠受信制御部と、を備え、前記間欠受信制御部は、前記タイマが満了した場合に非アクティブ状態に遷移することを要旨とする。
【００１１】
本発明の一態様は、無線基地局から送信される無線信号の受信電力レベルに応じた繰り返し送受信が実施される無線通信装置であって、繰り返し複数回送信される物理下りリンク制御チャネルを受信する受信部と、前記複数回送信される物理下りリンク制御チャネルを合成する合成部と、前記物理下りリンク制御チャネルの復号に成功したタイミングで、間欠受信制御におけるアクティブ状態を管理するためのタイマを起動する間欠受信制御部と、を備え、前記間欠受信制御部は、最初に物理下りリンク制御チャネルの受信を試みる時点から前記タイマを起動した時点までの期間を加味したタイマ時間で、前記タイマを起動し、前記間欠受信制御部は、前記タイマが満了した場合に非アクティブ状態に遷移することを要旨とする。
【００１２】
本発明の一態様は、無線基地局から送信される無線信号の受信電力レベルに応じた繰り返し送受信が実施される無線通信装置であって、繰り返し複数回送信される物理下りリンク制御チャネルを受信する受信部と、前記複数回送信される物理下りリンク制御チャネルを合成する合成部と、前記複数回送信される物理下りリンク制御チャネルのうち最後の前記物理下りリンク制御チャネルを受信したタイミングで、間欠受信制御におけるアクティブ状態を管理するためのタイマを起動する間欠受信制御部と、を備え、前記間欠受信制御部は、前記タイマが満了した場合に非アクティブ状態に遷移することを要旨とする。
【００１３】
本発明の一態様は、無線基地局から送信される無線信号の受信電力レベルに応じた繰り返し送受信が実施される無線通信装置であって、繰り返し複数回送信される物理下りリンク制御チャネルを受信する受信部と、前記複数回送信される物理下りリンク制御チャネルを合成する合成部と、前記物理下りリンク制御チャネルを受信する度に、間欠受信制御におけるアクティブ状態を管理するためのタイマを起動する間欠受信制御部と、を備え、前記間欠受信制御部は、前記タイマが満了した場合に非アクティブ状態に遷移することを要旨とする。
【００１４】
本発明の一態様は、無線基地局から送信される無線信号の受信電力レベルに応じた繰り返し送受信が実施される無線通信装置であって、繰り返し複数回送信される物理下りリンク制御チャネルを受信する受信部と、前記物理下りリンク制御チャネルの復号を試み、復号に成功した場合、後続の繰り返し送信される物理下りリンク制御チャネルの復号を行わない、または、後続の繰り返し送信される物理下りリンク制御チャネルの復号に成功した場合は当該物理下りリンク制御チャネルを破棄する復号部と、を備え、前記受信部は、最初に復号に成功した物理下りリンク制御チャネルに基づいて、繰り返し複数回送信される物理下りリンク共有チャネルの受信を試みることを要旨とする。
【００１５】
本発明の一態様は、無線基地局から送信される無線信号の受信電力レベルに応じた繰り返し送受信が実施される無線通信装置であって、繰り返し複数回送信される物理下りリンク制御チャネルを受信する受信部と、前記物理下りリンク制御チャネルの復号を試み、最初に復号に成功した後に、後続の繰り返し送信される物理下りリンク制御チャネルを用いて異なる物理下りリンク制御チャネルの復号に成功した場合、先に復号した物理下りリンク制御チャネルを破棄する復号部と、を備え、前記受信部は、後に復号した前記物理下りリンク制御チャネルに基づいて、繰り返し複数回送信される物理下りリンク共有チャネルの受信を試みることを要旨とする。
【００１６】
本発明の一態様は、無線基地局から送信される無線信号の受信電力レベルに応じた繰り返し送受信が実施される無線通信装置であって、繰り返し複数回送信される物理下りリンク制御チャネルを受信する受信部と、前記物理下りリンク制御チャネルの復号を試み、最初に前記物理下りリンク制御チャネルの復号に成功した後であっても、後続の繰り返し送信される物理下りリンク制御チャネルを用いて異なる物理下りリンク制御チャネルの復号を試みる復号部と、を備え、前記受信部は、異なる複数の物理下りリンク制御チャネルの復号に成功した場合、復号に成功した各物理下りリンク制御チャネルに基づいて、繰り返し複数回送信される物理下りリンク共有チャネルの受信を試みることを要旨とする。
【図面の簡単な説明】
【００１７】
【図１】図１は、移動通信システム１０の全体概略構成図である。
【図２】図２は、リソースの割り当て方法を示す図である。
【図３】図３は、ＥＣモードにおける信号の繰り返し送信の一例を示す図である。
【図４】図４は、ＥＣレベルに応じた繰り返し回数のイメージを示す図である。
【図５】図５は、ＤＲＸ制御の概要を示す図である。
【図６】図６は、ＵＥ１００の機能ブロック構成図である。
【図７】図７は、ｅＮＢ２００の機能ブロック構成図である。
【図８】図８は、ＤＲＸタイマによるＤＲＸ制御を示す図である。
【図９】図９は、第１実施形態の第１の方法のＤＲＸタイマの制御を示す図である。
【図１０】図１０は、第１実施形態の第２の方法のＤＲＸタイマの制御を示す図である。
【図１１】図１１は、ＵＥ１００およびｅＮＢ２００のＤＲＸタイマの起動タイミングを示す図である。
【図１２】図１２は、第２実施形態の第１のタイミングでＤＲＸタイマを起動する場合の動作を示す図である。
【図１３】図１３は、第２実施形態の第２のタイミングでＤＲＸタイマを起動する場合の動作を示す図である。
【図１４】図１４は、ＵＥ１００が複数の異なるＰＤＣＣＨを、誤って受信してしまう場合を示す図である。
【図１５】図１５は、ＵＥ１００がＰＤＣＣＨを受信できない場合の動作を示す図である。
【図１６】図１６は、第４実施形態のＵＥ１００の機能ブロック構成図である。
【図１７】図１７は、第４実施形態のＵＥ１００とｅＮＢ２００の動作を示す図である。
【発明を実施するための形態】
【００１８】
以下、実施形態を図面に基づいて説明する。なお、同一の機能や構成には、同一または類似の符号を付して、その説明を適宜省略する。
【００１９】
［第１実施形態］
（１）移動通信システムの全体概略構成
図１は、本実施形態に係る移動通信システム１０の全体概略構成図である。図１に示すように、移動通信システム１０は、ＬＴＥ（Long Term Evolution）またはＬＴＥ-Ａｄｖａｎｃｅｄに従った無線通信システムである。移動通信システム１０は、無線アクセスネットワーク２０、及び、ユーザ装置１００（以下、ＵＥ１００）を含む。
【００２０】
無線アクセスネットワーク２０は、３ＧＰＰにおいて規定されるＥ−ＵＴＲＡＮ（Evolved Universal Terrestrial Radio Access Network）であり、無線基地局２００（以下、ｅＮＢ２００）を含む。
【００２１】
ＵＥ１００及びｅＮＢ２００は、ＬＴＥの仕様に従った無線通信を実行する。本実施形態では、ＵＥ１００及びｅＮＢ２００は、例えば、ＰＤＣＣＨ（物理下りリンク制御チャネル）、ＰＤＳＣＨ（物理下りリンク共有チャネル）、ＰＵＳＣＨ（物理上りリンク共有チャネル）、ＡＣＫ／ＮＡＣＫなどのＰＵＣＣＨ (物理上り制御チャネル)、ＳＲＳ（サウンディング参照シンボル）等の信号またはデータを送受信する。なお、ＰＤＣＣＨには、リソースの割り当て情報、スケジューリング情報などの制御情報が含まれる。
【００２２】
なお、移動通信システム１０は、必ずしもＬＴＥ（Ｅ−ＵＴＲＡＮ）に限定されない。例えば、無線アクセスネットワーク２０は、５Ｇとして規定されるＵＥ１００と無線通信を実行する無線基地局を含む無線アクセスネットワークであってもよい。
【００２３】
無線アクセスネットワーク２０に接続されるＵＥ１００の種別は、特に限定されないが、本実施形態では、ＭＴＣ（Machine  Type  Communication）を実行する、ＭＴＣ−ＵＥを想定している。なお、ＭＴＣとは、３ＧＰＰにおいて、人の手を介さずに行われる通信と定義されている。低コストのＭＴＣ−ＵＥでは、狭帯域通信を実現するために、通常のリソースの割り当て方法とは異なる方法で、リソースを割り当てる。
【００２４】
図２（ａ）に示すように、通常の下りリンクのスケジューリングの際には、ＰＤＣＣＨとＰＤＳＣＨは、同一サブフレームで送信される。一方、狭帯域通信では、１つのＴＴＩ（サブフレーム）あたりに送信できるビット数に限りがある。そのため、図２（ｂ）に示すように、ＭＴＣ−ＵＥでは、ＰＤＣＣＨとＰＤＳＣＨとが、別のＴＴＩで送信される（inter-subframe scheduling）。
【００２５】
また、ＭＴＣ−ＵＥに関する規定として、ＬＣ（Low Complexity）、及びＥＣモード（Enhanced Coverage mode）が導入されている。
【００２６】
ＬＣモードの主な規定内容は、以下のとおりである。
【００２７】
・使用帯域幅：  1.4MHz
・送信電力：  3dB低減（従来は23dBm）
・ＲＦ受信数（RF Rx chains）：  １
・通信方式：  半二重通信（オプショナル）
・下りリンク（ＤＬ）最大通信速度：  1Mbps
また、ＥＣモードは、ｅＮＢ２００から送信される無線信号の受信電力レベル（ＲＳＲＰ/ＲＳＲＱ）の低さによって、セルのカバレッジを拡張するためのものである。ＥＣモードはＭＴＣ−ＵＥが、電波の届きにくい地下室等に設置されているようなケースを考慮したものである。
【００２８】
ＥＣモードでは、以下の４つの受信電力レベルが規定されている。
【００２９】
・Zero coverage extension
・5dB coverage extension
・10dB coverage extension
・15dB coverage extension
Zero coverage extensionは、セルのカバレッジを拡張しない、つまり、ＥＣモードが適用されないレベルである。5dB coverage extensionは、受信電力レベルを5dB低減する。同様に、10dB coverage extension及び15dB coverage extensionは、受信電力レベルを10dB、15dB低減する。
【００３０】
また、ＥＣモードでは、それぞれのcoverage extensionのレベルに対応する繰り返し回数（repetition回数）を規定することができる。例えば、15dB coverage extensionの場合には、１００回を超える繰り返し回数を対応付けることができる。
【００３１】
すなわち、ＥＣモードでは、ＵＥ１００とｅＮＢ２００との間で、同様の信号を繰り返し複数回送信することで、所要の品質を満たすことを想定している。
【００３２】
図３は、ＥＣモードにおける信号の繰り返し送信（repetition）の一例を示す図である。図示する例では、ｅＮＢ２００は、ＰＤＳＣＨのようなデータチャネルだけではなく、ＰＤＣＣＨのような信号も、ＵＥ１００に繰り返し複数回送信する。
【００３３】
ＵＥ１００は、繰り返し複数回送信されるＰＤＣＣＨを、複数のサブフレームにわたって受信し、合成し、復号してＰＤＣＣＨを取得する。これにより、所要の品質を満たすことができる。ＰＤＳＣＨについても同様である。
【００３４】
また、ＵＥ１００は、ＰＤＳＣＨに対するＡＣＫまたはＮＡＣＫ（以下、ＡＣＫ/ＮＡＣＫ）を、ｅＮＢ２００に繰り返し複数回送信する。ｅＮＢ２００は、繰り返し複数回送信されるＡＣＫ/ＮＡＣＫを、複数のサブフレームにわたって受信し、合成し、復号してＡＣＫ/ＮＡＣＫを取得する。
【００３５】
なお、図３には記載していないが、ＵＥ１００は、ＰＵＳＣＨについても、ｅＮＢ２００に繰り返し複数回送信し、ｅＮＢ２００は、繰り返し複数回送信されるＰＵＳＣＨを、複数のサブフレームにわたって受信し、合成し、復号してＰＵＳＣＨを取得する。
【００３６】
なお、ＥＣモードでは、所要品質毎に、ＵＥ１００のプロファイルを規定することが想定されている。例えば、カバレッジに非常に多くの電力を必要とする場合には、繰り返し回数は多くなる。すなわち、図４に示すように、-5dB、-10dB、-15dBの順に、繰り返し回数（repetition回数）は増加する。
【００３７】
本実施形態のＵＥ１００は、ｅＮＢ２００から送信される無線信号の受信電力レベルに応じた繰り返し送受信が実施されるＥＣモードが適用可能な装置であってもよい。
【００３８】
また、本実施形態では、ＵＥ１００のバッテリーセービングを目的として、ＤＲＸ（Discontinuous Reception）制御（間欠受信制御）を用いる。ＤＲＸ制御では、ＲＲＣ connectedされたＵＥ１００をアクティブ（Active）状態、非アクティブ（Inactive）状態という２つの状態で管理する。
【００３９】
アクティブ状態では、ＵＥ１００は、ＰＤＣＣＨを監視し、フィードバック情報（CQI/PMI/RI/PTI等）を、ｅＮＢ２００に報告する。
【００４０】
非アクティブ状態では、バッテリー消費を低減するために、ＵＥ１００は、ＰＤＣＣＨを監視することなく、フィードバック情報もｅＮＢ２００に報告しない。
【００４１】
以下のいずれかに該当する場合、ＵＥ１００はアクティブ状態である。なお、下記の何れにも該当しない場合、ＵＥ１００は非アクティブ状態である。
【００４２】
・On duration Timer、drx-InactivityTimer、drx-RetransmissionTimer、mac-contensionResolutionTimerの何れかが起動している場合
・スケジューリング要求（Scheduling request）を送信した場合
・ＵＬ ＨＡＲＱ再送のためのＵＬ ｇｒａｎｔが割り当てられる場合
・ランダム・アクセス・レスポンス（Random Access Response）を受信し、その後、新規に送信を指示するＰＤＣＣＨを受信していない場合
図５は、ＤＲＸ制御の概要を示す図である。図５（ａ）は、drx-InactivityTimer（以下、ＤＲＸタイマ）によるＵＥ１００のＤＲＸ制御を示す。ＵＥ１００は、ＰＤＣＣＨを受信すると、ＤＲＸタイマを起動/再起動する。ＤＲＸタイマが起動中は、アクティブ状態である。そして、ＵＥ１００は、ＤＲＸタイマが満了すると、非アクティブ状態に遷移する。ＤＲＸ制御では、ＤＲＸサイクルのアクティブ状態の区間においてのみＰＤＣＣＨの受信が可能となる。
【００４３】
図５（ｂ）は、ｅＮＢ２００から送信されるＤＲＸタイマの停止指示による、ＵＥ１００のＤＲＸ制御を示す。ＵＥ１００は、ＰＤＣＣＨを受信すると、ＤＲＸタイマを起動/再起動する。ＵＥ１００は、ＤＲＸタイマが満了する前であっても、ｅＮＢ２００から送信されたＤＲＸタイマの停止指示（例えば、DRX command MAC control Element）を受信すると、ＤＲＸタイマを強制停止して、非アクティブ状態に遷移する。
【００４４】
（２）移動通信システムの機能ブロック構成
次に、移動通信システム１０の機能ブロック構成について説明する。具体的には、ＵＥ１００及びｅＮＢ２００の機能ブロック構成について説明する。
【００４５】
（２．１）ＵＥ１００
図６は、ＵＥ１００の機能ブロック構成図である。図６に示すように、ＵＥ１００は、ＤＬ信号受信部１１０と、ＵＬ信号送信部１２０と、ＥＣ制御部１３０と、ＤＲＸ制御部１４０と、処理部１５０と、を備える。
【００４６】
なお、図示すように、ＵＥ１００の各機能ブロックは、無線通信モジュール、プロセッサ（メモリを含む）、機能モジュール（ユーザIF、位置検出、カメラ、オーディオ・ビデオなど）、ディスプレイ及び電源（バッテリ含む）などのハードウェア要素によって実現される。
【００４７】
また、本実施形態のＵＥ１００には、ＭＴＣ向けの低コストのＭＴＣ端末を用いることとしてもよい。ＭＴＣ端末の場合、機能モジュールとしては、最低限の機能のみ搭載し、また、ディスプレイを備えない端末であってもよい。
【００４８】
また、本実施形態のＵＥ１００は、ＥＣモードが適用される端末であってもよい。すなわち、ｅＮＢ２００から送信される無線信号の受信電力レベルに応じて、繰り返し送信回数（repetition回数）が規定される端末であってもよい。繰り返し送信回数は、信号の種別に応じて規定されていてもよい。
【００４９】
ＤＬ信号受信部１１０は、ｅＮＢ２００から送信される下り方向の信号（ＤＬ信号）を受信する。本実施形態では、ＤＬ信号受信部１１０は、ｅＮＢ２００から繰り返し複数回送信されるＰＤＣＣＨおよびＰＤＳＣＨを受信する。
【００５０】
ＵＬ信号送信部１２０は、上り方向の信号（ＵＬ信号）をｅＮＢ２００に送信する。本実施形態では、ＵＬ信号送信部１２０は、ＰＵＳＣＨをｅＮＢ２００に、複数回繰り返し送信する。処理部１５０は、所定の処理を実行する。
【００５１】
ＥＣ制御部１３０は、信号の繰り返し送受信を制御する。なお、繰り返し送受信される信号は、同じ信号（または、シーケンス番号などのヘッダ情報が異なるだけで、実質的には同じ内容の同様の信号を含む）である。ＥＣ制御部１３０は、合成部１３１と、復号部１３２と、繰り返し送信部１３３とを備える。
【００５２】
合成部１３１は、ｅＮＢ２００から、複数回送信されるＰＤＣＣＨおよびＰＤＳＣＨを合成する。
【００５３】
復号部１３２は、合成部１３１が合成したＰＤＣＣＨおよびＰＤＳＣＨの復号を試みる。繰り返し送信部１３３は、ＰＵＳＣＨを複数回繰り返し送信するようにＵＬ信号送信部１２０を制御する。
【００５４】
ＤＲＸ制御部１４０は、ＤＲＸ制御を行う。本実施形態では、ＤＲＸ制御部１４０は、合成し、復号した物理下りリンク制御チャネルから、ＤＲＸ制御におけるアクティブ状態を管理するためのＤＲＸタイマの起動要否を検出し、起動不要を検出した場合、ＤＲＸタイマを起動することなく、既に起動済みのＤＲＸタイマを停止して、非アクティブ状態に遷移する。
【００５５】
また、ＤＲＸ制御部１４０は、合成し、復号したＰＤＣＣＨに基づいたＰＤＳＣＨの受信後に、ＤＲＸ制御におけるアクティブ状態を管理するためのＤＲＸタイマを起動する。なお、ＰＤＳＣＨの受信後は、例えば、繰り返し送信されるＰＤＣＣＨを最後に受信したタイミング、繰り返し送信されるＰＤＣＣＨを最初に受信したタイミング、ＰＤＣＣＨの復号に成功したタイミング、ＰＤＣＣＨに対するＡＣＫ／ＮＡＣＫを送信したタイミングなどである。
【００５６】
（２．２）ｅＮＢ２００
図７は、ｅＮＢ２００の機能ブロック構成図である。図７に示すように、ｅＮＢ２００は、ＤＬ信号送信部２１０と、ＵＬ信号受信部２２０と、ＥＣ制御部２３０と、ＤＲＸ制御部２４０と、処理部２５０と、を備える。
【００５７】
なお、図示すように、ｅＮＢ２００の各機能ブロックは、無線通信モジュール、プロセッサ（メモリを含む）、機能モジュール（ネットワークIFなど）及び電源などのハードウェア要素によって実現される。
【００５８】
ＤＬ信号送信部２１０は、下り方向の信号（ＤＬ信号）をＵＥ１００に送信する。本実施形態では、ＤＬ信号送信部２１０は、ＰＤＣＣＨおよびＰＤＳＣＨをＵＥ１００に、複数回繰り返し送信する。
【００５９】
ＵＬ信号受信部２２０は、ＵＥ１００から送信される上り方向の信号（ＵＬ信号）を受信する。本実施形態では、ＵＬ信号受信部２２０は、ＵＥ１００から繰り返し複数回送信されるＰＵＳＣＨおよびＡＣＫ／ＮＡＣＫを受信する。処理部２５０は、所定の処理を実行する。
【００６０】
ＥＣ制御部２３０は、ＵＥ１００のＥＣ制御部２３０と同様に、信号の繰り返し送受信を制御する。ＥＣ制御部２３０は、合成部２３１と、復号部２３２と、繰り返し送信部２３３とを備える。
【００６１】
合成部２３１は、ＵＥ１００から、複数回送信されるＰＵＳＣＨおよびＡＣＫ／ＮＡＣＫを合成する。復号部２３２は、合成部２３１が合成したＰＵＳＣＨおよびＡＣＫ／ＮＡＣＫの復号を試みる。繰り返し送信部２３３は、ＵＥ１００に、ＰＵＳＣＨおよびＡＣＫ／ＮＡＣＫを複数回繰り返し送信するように、ＵＬ信号受信部２２０を制御する。
【００６２】
ＤＲＸ制御部２４０は、ＵＥ１００のＤＲＸ状態（アクティブ状態または非アクティブ状態）を管理する。
【００６３】
（３）移動通信システムの動作
次に、移動通信システム１０の動作について説明する。ＥＣモードでは、前述のとおり、信号を繰り返し送信（repetition or bundling）し、複数の信号を合成することによって、所要品質を満たすことを想定している。
【００６４】
通常のＤＲＸタイマは、最後のＰＤＣＣＨ（新規割当て情報を含む）を受信した後、ＵＥ１００がどの程度まで後続のＰＤＣＣＨを期待するかをコントロールするタイマである。すなわち、パケット到来間隔と、ｅＮＢ２００のスケジューリング遅延が考慮される。例えば、ＤＲＸタイマ= 200msであれば、ＵＥ１００は、最後のＰＤＣＣＨの受信から200ms間、後続のＰＤＣＣＨの受信を期待する。
【００６５】
一方、ＥＣモードのＵＥ１００では、ＰＤＣＣＨとＰＤＳＣＨの受信タイミングが時間的にずれるため、ＤＲＸタイマの設定値（タイマ時間）を、より長くしなければならない。
【００６６】
例えば、下りリンクの繰り返し送信が100msに渡って実施される場合、実際には、ＵＥ１００は、200ms + 100ms分だけアクティブ状態を維持しておく必要がある。すなわち、ＤＲＸタイマ = 300msに設定する必要がある。言い換えると、ＤＲＸタイマに見込むスケジューリング遅延が伸びるイメージである。
【００６７】
しかし、ＤＲＸタイマが長すぎる場合、ＰＤＳＣＨなどのデータ送受信が終わった後にＵＥ１００がアクティブ状態に留まる時間が長くなり、バッテリーを浪費してしまう。
【００６８】
図８（ａ）は、ＥＣモードでない通常のＤＲＸタイマによるＤＲＸ制御を示す図である。ＵＥ１００は、新規送信のＰＤＣＣＨを受信する度に、ＤＲＸタイマを起動（再起動）する。なお、以下に記述する「起動」には、再起動を含む。そして、ＵＥ１００は、ＤＲＸタイマの満了により非アクティブ状態へ遷移する。
【００６９】
図８（ｂ）は、ＥＣモードで繰り返し送信が適用された場合のＤＲＸタイマによるＤＲＸ制御を示す図である。図８（ｂ）では、ＰＤＣＣＨの繰り返し送信は、省略して記載している。前述のとおり、繰り返し送信が行われる場合は、ＤＲＸタイマは、通常より長い時間を設定する必要がある。そのため、ＤＲＸタイマが満了するまでは、データ送受信（ＰＤＳＣＨの送受信）の完了後も、ＵＥ１００がアクティブ状態に留まる時間Ｔ１が長くなり、バッテリーを消費してしまう。
【００７０】
そこで、本実施形態では、以下の第１の方法または第２の方法を用いて、バッテリーの消費を低減することとする。
【００７１】
［第１の方法］
第１の方法では、ＵＥ１００は、ＰＤＣＣＨまたはＰＤＳＣＨを参照して、データ送受信後に、非アクティブ状態に遷移するか否かを自律的に判定する。
【００７２】
図８（ｂ）で説明したように、繰り返し送信を行う場合、ＤＲＸタイマを通常より長くする。この前提で、ｅＮＢ２００は、繰り返し送信によるスケジューリング遅延をカバーするために、後続データが無いと判定したタイミングで、ＵＥ１００にＤＲＸタイマの停止を通知し、ＵＥ１００が不要にアクティブ状態に留まる、または、アクティブ状態に遷移することを回避する。すなわち、ｅＮＢ２００は、データ送受信後に、追加のスケジューリングが不要であると判定した場合、ＵＥ１００に明示的な指示を送信する。
【００７３】
図９（ａ）は、図８（ａ）と同じである。図９（ｂ）は、第１の方法の制御を示す図である。ｅＮＢ２００は、ＵＥ１００のＤＲＸタイマを停止させるか否かを判断する。例えば、ｅＮＢ２００は、ＤＲＸタイマを停止させるか否かを、以下の情報を用いて判断することとしてもよい。なお、ｅＮＢ２００は、以下の情報のいずれか１つを用いて判断してもよく、あるいは、複数の情報を組み合わせて判断してもよい。
【００７４】
・パケットの到来間隔の統計情報
・ＰＤＣＰ ＳＤＵサイズ（例えば、ＰＤＣＰ  ＳＤＵサイズが所定値より小さい場合、ｅＮＢ２００は、次に送信するデータは無いとみなして、ＤＲＸタイマの起動不要（または、ＤＲＸタイマ停止）をＵＥ１００に指示する。一方、ＰＤＣＰ  ＳＤＵサイズが所定値以上の場合、ｅＮＢ２００は、次に送信するデータが有るとみなして、ＤＲＸタイマの起動要をＵＥ１００に指示する、または、タイマの起動要否を設定しない。）
・送信するデータ種別（例えば、ＲＬＣ−ＡＣＫ（ＲＬＣ−ＮＡＣＫ）を下りリンクで送信する場合、ｅＮＢ２００は、次に送信するデータは無いとみなして、ＤＲＸタイマの起動不要（または、ＤＲＸタイマ停止）をＵＥ１００に指示する。一方、ＲＬＣ−ＡＣＫ（ＲＬＣ−ＮＡＣＫ）以外のデータを下りリンクで送信する場合、ｅＮＢ２００は、次に送信するデータが有るとみなして、ＤＲＸタイマの起動要をＵＥ１００に指示する、または、タイマの起動要否を設定しない。）
そして、ｅＮＢ２００は、判断結果をＰＤＣＣＨのＤＣＩ（Downlink Control Information）に設定し、ＵＥ１００に送信する。
【００７５】
ＵＥ１００は、ＰＤＣＣＨの受信タイミングにおいて、受信したＰＤＣＣＨに含まれるＤＣＩを参照して、ＤＲＸタイマの起動要否を検出する。「起動不要」の指示を検出した場合、ＵＥ１００は、ＤＲＸタイマを起動しない。すなわち、ＵＥ１００は、当該ＰＤＣＣＨを受信したタイミングでＤＲＸタイマを起動することなく、既に起動済みのＤＲＸタイマが継続している場合は、起動済みのタイマを強制的に停止し、非アクティブ状態に遷移する。
【００７６】
また、ｅＮＢ２００は、判断結果をＰＤＳＣＨの制御情報に設定して、ＵＥ１００に送信することとしてもよい。ＵＥ１００は、繰り返し送信されるＰＤＳＣＨの最後のＰＤＳＣＨを受信したタイミング、または、繰り返し送信されるＰＤＳＣＨの復号に成功したタイミングで、起動しているＤＲＸタイマを強制的に停止して、非アクティブ状態に移行してもよい。 
【００７７】
［第２の方法］
第２の方法では、ＵＥ１００は、自分宛のＰＤＣＣＨ（割当て情報を含む）を受信する場合、当該ＰＤＣＣＨに基づくデータ送受信後（ＰＤＳＣＨ送受信後）にＤＲＸタイマを起動する。すなわち、ＵＥ１００は、データ送受信が終了した時点から所定の期間（ＤＲＸタイマが満了するまでの時間）はアクティブ状態とする。
【００７８】
第２の方法では、ＤＲＸタイマに繰り返し送信によるスケジューリング遅延を加味しない。すなわち、図８（ｂ）に示すように、ＤＲＸタイマを通常より長くすることなく、図８（ａ）のように、通常のＤＲＸタイマと同様の長さとする。
【００７９】
図１０（ａ）は、図８（ａ）と同じである。図１０（ｂ）は、第２の方法の制御を示す図である。ＵＥ１００は、ＰＤＳＣＨの送受信後にＤＲＸタイマを起動する。
【００８０】
なお、ＤＲＸタイマの起動契機は、通常のように新規のＰＤＣＣＨ（新規割り当て情報）でもよいし、再送も含めたＰＤＣＣＨ一般（割り当て情報一般）でもよいし、ＰＤＣＣＨ（ＤＣＩ）で通知されるもの全て（例えば、PDCCH order、Aperiodic CSI/SRS要求など）でもよい。
【００８１】
また、「データ送受信後」は、下りリンクの場合、所定回数送信されるＰＤＳＣＨを所定回数受信したタイミングでもよい。所定回数とは、最後に受信したタイミングでもよいし（図１０（ｂ）参照）、所定回数送信されるＰＤＳＣＨを最初に受信したタイミングでもよい。或いは、ＰＤＳＣＨの復号完了（CRC check OK）のタイミングでもよいし、ＰＤＳＣＨに対するＡＣＫ／ＮＡＣＫを送信したタイミングでもよいし、ＡＣＫ／ＮＡＣＫを所定回数（または、所定期間）送信したタイミングでもよい。
【００８２】
上りリンクの場合、所定回数送信するＰＵＳＣＨを最後に送信したタイミングでもよいし、所定回数送信するＰＵＳＣＨを最初に送信したタイミングでもよいし、ＰＵＳＣＨに対するＡＣＫ／ＮＡＣＫを最初に受信したタイミングでもよいし、ＡＣＫ／ＮＡＣＫを所定回数（または、所定期間）受信したタイミングでもよい。
【００８３】
また、実際のＤＲＸタイマの起動タイミングは、上記タイミングを満足したサブフレームでもよいし、その次のサブフレームでもよい。ＴＤＤ（Time Division Duplex）の場合は、ＴＤＤ ｃｏｎｆｉｇ（ＤＬ/ＵＬサブフレーム）が考慮されてもよい。
【００８４】
あるいは、ＵＥ１００は、ＰＤＳＣＨ受信タイミング、ＰＵＳＣＨ送信タイミング、または、これらに対するＡＣＫ/ＮＡＣＫ送受信毎に、ＤＲＸタイマを起動することとしてもよい。
【００８５】
なお、本実施形態では、通常（既存）のＤＲＸタイマであるdrx-InacitityTimerを例として説明したが、本発明は、drx-InacitityTimerに限定されるものではなく、新規のタイマ（ＤＲＸ制御におけるアクティブ状態を管理するためのタイマ）を用いることとしてもよい。当該新規のタイマは、ＰＤＳＣＨまたはＰＵＳＣＨ送受信時に起動され、当該タイマ期間は、drx-InactivityTimerが起動していない（満了している）場合であっても、ＵＥ１００はアクティブ状態であるとみなす。
【００８６】
また、ＵＥ１００のＥＣレベル、またはＵＥ１００がＬＣ（Low Complexity）−ＵＥか否かによって、本実施形態の制御を適用するか否かを判断することとしてもよい。例えば、よりカバレッジ拡張を必要なＥＣレベル（例えば、15dB coverage extension）では、所要品質を満足するための繰り返し回数が増え、図８（ｂ）で説明したような懸念する事態が発生した場合に浪費されるリソースがより大きくなり、システム観点で望ましくない。したがって、そのようなＥＣレベルの場合には、本実施形態の制御を適用することが考えられる。
【００８７】
一方で、カバレッジがある程度担保できるようなＥＣレベルのＵＥ１００の場合、または、ＵＥ１００がＬＣ−ＵＥの場合では、本実施形態の制御の実装または適用による実装複雑化が想定されるため、そのようなＵＥ１００に対しては適用されなくてもよい。
【００８８】
この場合、ＵＥ１００の処理部１５０は、自身のＥＣレベル、または、自身がＬＣ−ＵＥか否かの情報を保持しており、例えばｅＮＢ２００などのネットワークから通知された適用ルールに基づいて、本実施形態の制御を適用するか否かを判断することとしてもよい。
【００８９】
（４）作用・効果
上述した第１実施形態によれば、以下の作用効果が得られる。上述したように、本実施形態のＵＥ１００は、合成した物理下りリンク制御チャネルから、ＤＲＸ制御におけるアクティブ状態を管理するためのＤＲＸタイマの起動要否を検出し、起動不要を検出した場合、ＤＲＸタイマを起動することなく、既に起動済みのＤＲＸタイマを停止して、非アクティブ状態に遷移する。
【００９０】
これにより、本実施形態のＵＥ１００は、ＤＲＸタイマを通常のＤＲＸタイマより長く設定した場合であっても、無駄にアクティブ状態を維持する必要がなく、バッテリー消費を低減することができる。
【００９１】
また、本実施形態のＵＥ１００は、合成したＰＤＣＣＨに基づいたＰＤＳＣＨの受信後に、ＤＲＸ制御におけるアクティブ状態を管理するためのＤＲＸタイマを起動する。
【００９２】
これにより、本実施形態のＵＥ１００は、信号を複数回繰り返し送受信することによるスケジューリング遅延を加味せずに、通常のＤＲＸタイマと同様の長さのＤＲＸタイマを用いることができる。したがって、アクティブ状態が無駄に長く維持されることを回避し、バッテリー消費を低減することができる。
【００９３】
したがって、本実施形態では、信号を複数回繰り返し送受信することに起因する不具合を回避し、無線基地局との通信を適切に行うことなできる。
【００９４】
［第２実施形態］
次に、本発明の第２実施形態について説明する。以下、上述した第１実施形態と異なる部分について主に説明し、同様の部分については、その説明を適宜省略する。
【００９５】
ＤＲＸ制御状態においては、ＵＥ１００のスケジューリング情報の受信可否を制御するため、ＵＥ１００とｅＮＢ２００と間で常にＤＲＸ状態（アクティブ状態、非アクティブ状態）が一致していることが望ましい。
【００９６】
ＵＥ１００とｅＮＢ２００との間で状態が不一致の場合、ＵＥ１００は、不要にアクティブ状態へ遷移してしまう、または、ｅＮＢ２００から送信されるスケジューリング情報（ＰＤＣＣＨ）を受信できないなどの不具合が発生する。
【００９７】
しかし、ＥＣモードで、ＰＤＣＣＨ自体がｅＮＢ２００によって繰り返し送信される場合、ＵＥ１００のＰＤＳＣＨの復号のタイミングによっては、ＵＥ１００とｅＮＢ２００と間でＤＲＸ状態の不一致が発生する。
【００９８】
図１１は、ＵＥ１００およびｅＮＢ２００のＤＲＸタイマの起動タイミングを示すものである。図１１（ａ）は、ＥＣモードでない通常のＤＲＸ制御を示す図である。ＵＥ１００は、新規送信のＰＤＣＣＨを受信する度に、ＤＲＸタイマを起動する。ｅＮＢ２００も、ＵＥ１００と同様のＤＲＸタイマを使用して、ＰＤＣＣＨを新規に送信する度に、ＤＲＸタイマを起動し、ＵＥ１００のＤＲＸ状態を監視する。
【００９９】
図１１（ｂ）は、ＥＣモードで繰り返し送信が適用された場合のＤＲＸ制御を示す図である。図示する例では、ｅＮＢ２００は、ＰＤＣＣＨを８回繰り返し送信する。ｅＮＢ２００は、ＵＥ１００がどこでＰＤＣＣＨの復号に成功したかわからないため、繰り返し送信の最後のタイミング（最後にＰＤＣＣＨを送信したタイミング）でＤＲＸタイマを起動する。
【０１００】
ＵＥ１００は、例えば、５回目の繰り返し送信でＰＤＣＣＨの復号に成功した場合、復号に成功した時点でＤＲＸタイマを起動する。これにより、ＵＥ１００のＤＲＸタイマの方が、ｅＮＢ２００より先に満了する。このため、ｅＮＢ２００がＤＲＸタイマの満了前にＰＤＣＣＨを送信した場合であっても、ＵＥ１００ではＤＲＸタイマが既に満了し、非アクティブ状態に遷移している場合はＰＤＣＣＨを受信できない。
【０１０１】
本実施形態は、ＵＥ１００とｅＮＢ２００と間で、ＤＲＸ状態の不一致を回避するものである。
【０１０２】
（１）移動通信システムの機能ブロック構成
図６および図７に示したように、本実施形態に係るＵＥ１００及びｅＮＢ２００も、第１実施形態に係るＵＥ１００及びｅＮＢ２００と同様の機能ブロック構成を有する。
【０１０３】
本実施形態のＵＥ１００のＤＲＸ制御部１４０は、ＰＤＣＣＨの復号に成功したタイミングで、自身が備えるＤＲＸタイマを起動する。なお、ＤＲＸ制御部１４０は、繰り返し複数回送信されるＰＤＣＣＨのうち最初にＰＤＣＣＨを受信した時点からタイマを起動した時点までの期間を減算した（カウントダウンの場合）タイマ時間で、ＤＲＸタイマを起動する。そして、ＤＲＸ制御部１４０は、ＤＲＸタイマが満了した場合に、非アクティブ状態に遷移する。タイマの計上方法がカウントアップの場合には、繰り返し複数回送信されるＰＤＣＣＨのうち最初にＰＤＣＣＨを受信した時点からタイマを起動した時点までの期間を加算したタイマ時間でＤＲＸタイマを起動する。
【０１０４】
すなわち、ＤＲＸ制御部１４０は、最初にＰＤＣＣＨの受信を試みる時点からタイマを起動した時点までの期間を加味したタイマ時間で、ＰＤＣＣＨの復号に成功したタイミングでＤＲＸタイマを起動する。
【０１０５】
この場合、ｅＮＢ２００のＤＲＸ制御部２４０は、繰り返し複数回送信するＰＤＣＣＨのうち最初のＰＤＣＣＨを送信したタイミングで、自身が備えるＤＲＸタイマを起動する。
【０１０６】
また、本実施形態のＵＥ１００のＤＲＸ制御部１４０は、ｅＮＢ２００から、繰り返し複数回送信されるＰＤＣＣＨのうち最後のＰＤＣＣＨを受信したタイミングで、自身が備えるＤＲＸタイマを起動することとしてもよい。そして、ＤＲＸ制御部１４０は、ＤＲＸタイマが満了した場合に、非アクティブ状態に遷移する。この場合、ｅＮＢ２００のＤＲＸ制御部２４０も、同様に、繰り返し複数回送信するＰＤＣＣＨのうち最後のＰＤＣＣＨを送信したタイミングで、自身が備えるＤＲＸタイマを起動する。
【０１０７】
また、本実施形態のＵＥ１００のＤＲＸ制御部１４０は、ｅＮＢ２００から、繰り返し複数回送信されるＰＤＣＣＨを受信する度に、自身が備えるＤＲＸタイマを再起動することとしてもよい。そして、ＤＲＸ制御部１４０は、ＤＲＸタイマが満了した場合に、非アクティブ状態に遷移する。この場合、ｅＮＢ２００のＤＲＸ制御部２４０も、同様に、繰り返しＰＤＣＣＨを送信する度に、自身が備えるＤＲＸタイマを再起動することとしてもよい。
【０１０８】
（２）移動通信システムの動作
次に、移動通信システム１０の動作について説明する。
【０１０９】
前述したように、本実施形態では、ＵＥ１００およびｅＮＢ２００は、以下に示す３つの所定のタイミングの何れかで、それぞれのＤＲＸタイマを起動する。
【０１１０】
図１２は、第１のタイミングでＤＲＸタイマを起動する場合の動作を示す図である。ＵＥ１００は、ＰＤＣＣＨの復号に成功した場合、復号に成功したタイミングでＤＲＸタイマを起動する。ただし、ＵＥ１００は、繰り返し複数回送信されるＰＤＣＣＨのうち最初にＰＤＣＣＨを受信した時点からタイマを起動した時点までの期間を減算したタイマ時間で、ＤＲＸタイマを起動する。
【０１１１】
すなわち、ＵＥ１００は、ＰＤＣＣＨの繰り返し送信の最初のサブフレームのＰＤＣＣＨを受信したタイミングで、ＤＲＸタイマを起動したと見なして、復号に成功したタイミングでＤＲＸタイマを起動する。この場合、ｅＮＢ２００は、繰り返し送信するＰＤＣＣＨのうち、最初のサブフレームのＰＤＣＣＨを送信したタイミングで、ＤＲＸタイマを起動する。これにより、ＵＥ１００とｅＮＢ２００とは、ほぼ同じタイミングでそれぞれのＤＲＸタイマを起動することになる。
【０１１２】
図１３は、第２のタイミングでＤＲＸタイマを起動する場合の動作を示す図である。ＵＥ１００は、ＰＤＣＣＨの復号に成功した場合、ＰＤＣＣＨの繰り返し送信の最後のサブフレームのＰＤＣＣＨを受信したタイミングで、ＤＲＸタイマを起動する。この場合、ｅＮＢ２００も、繰り返し送信するＰＤＣＣＨのうち、最後のサブフレームのＰＤＣＣＨを送信したタイミングで、ＤＲＸタイマを起動する。これにより、ＵＥ１００とｅＮＢ２００とは、ほぼ同じタイミングでそれぞれのＤＲＸタイマを起動することになる。
【０１１３】
第３のタイミングでは、ＵＥ１００は、ＰＤＣＣＨの復号に成功した後であっても、ＰＤＣＣＨの繰り返し送信が継続する場合は、後続のＰＤＣＣＨのサブフレームを受信する毎に、ＤＲＸタイマを起動する。この場合、ｅＮＢ２００も、繰り返しＰＤＣＣＨを送信する度に、ＤＲＸタイマを再起動する。これにより、ＵＥ１００とｅＮＢ２００とは、ほぼ同じタイミングでそれぞれのＤＲＸタイマを起動することになる。
【０１１４】
（３）作用・効果
上述した第２実施形態によれば、以下のような作用効果が得られる。上述したように、本実施形態では、ＵＥ１００およびｅＮＢ２００は所定のタイミングで、それぞれが保持するＤＲＸタイマを起動する。
【０１１５】
これにより、ＵＥ１００とｅＮＢ２００とは、ほぼ同じタイミングでそれぞれのＤＲＸタイマを起動することになる。このため、ＵＥ１００とｅＮＢ２００との間で、ＤＲＸ状態が不一致となることを回避することができる（または、不一致となる期間を極力短くすることができる）。
【０１１６】
したがって、ＵＥ１００のＤＲＸタイマの方が、ｅＮＢ２００のＤＲＸタイマより先に満了してしまうことで、ｅＮＢ２００がＤＲＸタイマの満了前に送信したＰＤＣＣＨを、ＵＥ１００が受信できない事態を回避することができる。
【０１１７】
以上により、本実施形態では、信号を複数回繰り返し送受信することに起因する不具合を回避し、無線基地局との通信を適切に行うことなできる。
【０１１８】
［第３実施形態］
次に、本発明の第３実施形態について説明する。以下、上述した第１実施形態と異なる部分について主に説明し、同様の部分については、その説明を適宜省略する。
【０１１９】
ＥＣモードで、ＰＤＣＣＨ（割り当て情報を含む）が複数回繰り返し送信される場合、ＵＥ１００は、繰り返し送信の期間で複数の異なるＰＤＣＣＨを受信してしまう可能性がある。
【０１２０】
図１４は、ＵＥ１００が複数の異なるＰＤＣＣＨを、誤って受信してしまう場合を示す図である。図示する例は、ＰＤＣＣＨの繰り返し送信回数（repetition回数）が８回の場合であって、ｅＮＢ２００は、８つのサブフレームで、ＰＤＣＣＨをＵＥ１００に送信する。
【０１２１】
このとき、ＵＥ１００は、４回目までのＰＤＣＣＨの受信で、最初のＰＤＣＣＨの復号に成功する。しかしながら、最初に復号に成功したＰＤＣＣＨは、ノイズや干渉などの影響により、誤った割り当て情報のＰＤＣＣＨである。
【０１２２】
さらに、ＵＥ１００は、５回目から８回目のサブフレームでも繰り返し送信されるＰＤＣＣＨを受信して、ＰＤＣＣＨの復号を試み、最初のＰＤＣＣＨとは異なる割り当て情報のＰＤＣＣＨの復号に成功する。最後に復号に成功したＰＤＣＣＨが、実際にｅＮＢ２００が送信した、正しいＰＤＣＣＨである。
【０１２３】
この場合、ＵＥ１００は、どちらが正しいＰＤＣＣＨ（割り当て情報）であるかを把握できないため、ＵＥ１００とｅＮＢ２００との間で割当てリソースの不一致が発生する。
【０１２４】
本実施形態は、ＵＥ１００とｅＮＢ２００と間で、割当てリソースの不一致を回避するものである。
【０１２５】
（１）移動通信システムの機能ブロック構成
図６および図７に示したように、本実施形態に係るＵＥ１００及びｅＮＢ２００も、第１実施形態に係るＵＥ１００及びｅＮＢ２００と同様の機能ブロック構成を有する。なお、本実施形態では、ＵＥ１００は、ＤＲＸ制御部１４０を備えなくてもよく、また、ｅＮＢ２００は、ＤＲＸ制御部２４０を備えなくてもよい。
【０１２６】
本実施形態のＵＥ１００の復号部１３２は、所定のルールに従って、復号に成功したＰＤＣＣＨ（割り当て情報を含む）のどれを用いるかを決定する。
【０１２７】
所定のルールとしては、以下の３つのルールが考えられる。
【０１２８】
第１のルール（前発優先）の場合、復号部１３２は、複数回繰り返し送信されるＰＤＣＣＨの復号を試み、復号に成功した場合、後続の繰り返し送信されるＰＤＣＣＨの復号を行わない、または、後続の繰り返し送信されるＰＤＣＣＨの復号に成功した場合は当該ＰＤＣＣＨを破棄する（または、ＭＡＣレイヤへ転送しない）。
【０１２９】
そして、ＤＬ信号受信部１１は、最初に復号に成功したＰＤＣＣＨに基づいて、繰り返し複数回送信されるＰＤＳＣＨの受信を試みる。
【０１３０】
第１のルールでは、ＵＥ１００は、ＰＤＣＣＨの復号に成功し、当該ＰＤＣＣＨに含まれる割り当て情報を取得できた場合、最初に取得した割り当て情報を優先し、当該割り当て情報に基づいて、ＰＤＳＣＨの受信を試みる。
【０１３１】
第２のルール（後発優先）の場合、復号部１３２は、複数回繰り返し送信されるＰＤＣＣＨの復号を試み、最初に復号に成功した後に、後続の繰り返し送信されるＰＤＣＣＨを用いて異なるＰＤＣＣＨの復号に成功した場合、先に復号したＰＤＣＣＨを破棄する。この場合、ＤＬ信号受信部１１は、後に復号に成功したＰＤＣＣＨに基づいて、繰り返し複数回送信されるＰＤＳＣＨの受信を試みる。
【０１３２】
第２のルールでは、ＵＥ１００は、繰り返し送信によってＰＤＣＣＨの復号に成功し、当該ＰＤＣＣＨに含まれる割り当て情報を取得できたとしても、さらに後続の繰り返し送信によって別のＰＤＣＣＨの復号に成功し、当該ＰＤＣＣＨに含まれる別の割り当て情報を取得できた場合には、先発の割当て情報を破棄する（または、ＭＡＣレイヤへ転送しない）。
【０１３３】
第３のルール（先発および後発の復号を試行）の場合、復号部１３２は、複数回繰り返し送信されるＰＤＣＣＨの復号を試み、最初にＰＤＣＣＨの復号に成功した後であっても、後続の繰り返し送信されるＰＤＣＣＨを用いて異なるＰＤＣＣＨの復号を試みる。この場合、ＤＬ信号受信部１１は、異なる複数のＰＤＣＣＨの復号に成功した場合、復号に成功した各ＰＤＣＣＨに基づいて、繰り返し複数回送信されるＰＤＳＣＨの受信を試みる。
【０１３４】
第３のルールでは、ＵＥ１００は、繰り返し送信によって、複数の異なるＰＤＣＣＨの復号に成功し、複数の異なる割り当て情報を取得した場合は、当該複数の異なる割り当て情報の全てに基づいて、ＰＤＳＣＨの受信を試みる。誤ったＰＤＣＣＨ（割り当て情報）の場合には、ＰＤＳＣＨの受信が失敗し、正しいＰＤＣＣＨ（割り当て情報）でＰＤＳＣＨの受信が成功する。なお、第３のルールは、ＵＥ１００が、ＰＵＳＣＨを繰り返し送信する場合には適用されなくてもよい。
【０１３５】
（２）作用・効果
上述した第３実施形態によれば、以下のような作用効果が得られる。上述したように、本実施形態では、ＵＥ１００は、所定のルールに従って、復号に成功したＰＤＣＣＨ（割り当て情報を含む）のどれを用いるかを決定する。
【０１３６】
これにより、ＵＥ１００は、複数のＰＤＣＣＨ（割り当て情報）を復号した場合に、どのＰＤＣＣＨを使用してＰＤＣＣＨの受信を試みるかを決定することができ、ＵＥ１００とｅＮＢ２００との間で割当てリソースの不一致が発生するのを極力回避することができる。
【０１３７】
したがって、本実施形態では、信号を複数回繰り返し送受信することに起因する不具合を回避し、無線基地局との通信を適切に行うことができる。
【０１３８】
［第４実施形態］
次に、本発明の第４実施形態について説明する。以下、上述した第１実施形態と異なる部分について主に説明し、同様の部分については、その説明を適宜省略する。
【０１３９】
ＥＣモードで、ＰＤＣＣＨ（スケジューリング情報を含む）が複数回繰り返し送信される場合、ＵＥ１００がＰＤＣＣＨを適切に受信できない場合、ｅＮＢ２００が繰り返し送信するＰＤＳＣＨを受信することができない可能性がある。この場合、ｅＮＢ２００は、無駄にＰＤＳＣＨを繰り返し送信することになる。
【０１４０】
すなわち、ＵＥ１００が、ＰＤＣＣＨを取りこぼし、ｅＮＢ２００はそれに気づかずにＰＤＳＣＨ送信（または、ＰＵＳＣＨ受信）を継続し、下りリンク（または、上りリンク）のリソースが無駄になる。
【０１４１】
具体的には、ＵＥ１００が品質ネックでＰＤＣＣＨを受信できなかったケースや、ＵＥ１００がＰＤＣＣＨを誤検出し、誤検出したＰＤＣＣＨに基づいてＰＤＳＣＨの受信（またはＰＵＳＣＨの送信）を既に開始してしまっているケース等がある。
【０１４２】
図１５は、ＵＥ１００がＰＤＣＣＨを受信できない場合の動作を示す図である。図示する例は、ｅＮＢ２００は、所定の回数、ＰＤＣＣＨをＵＥ１００に繰り返し送信するが、ＵＥ１００は、ＰＤＣＣＨを受信することができない。
【０１４３】
ｅＮＢ２００は、ＵＥ１００がＰＤＣＣＨを受信できたか否かは不明であるため、ＰＤＣＣＨを受信できたとみなして、ＰＤＳＣＨの送信を開始する。ＵＥ１００は、スケジューリング情報を含むＰＤＣＣＨを受信できていないため、ＰＤＣＣＨの受信を試みない。
【０１４４】
本実施形態は、ＵＥ１００がＰＤＣＣＨを適切に受信できない場合に、ｅＮＢ２００がＰＤＳＣＨを送信し（または、ＰＵＳＣＨの受信を試み）、下りリンク（または、上りリンク）のリソースを浪費することを回避するものである。
【０１４５】
（１）移動通信システムの機能ブロック構成
図１６は、本実施形態のＵＥ１００の機能ブロック構成図である。本実施形態のＵＥ１００は、図６に示す第１実施形態のＵＥ１００と、報告部１３４を備える点において異なる。本実施形態のｅＮＢ２００は、図７に示す第１実施形態のｅＮＢ２００と同様の機能ブロック構成を有する。なお、本実施形態では、ＵＥ１００は、ＤＲＸ制御部１４０を備えなくてもよく、また、ｅＮＢ２００は、ＤＲＸ制御部２４０を備えなくてもよい。
【０１４６】
本実施形態では、ＵＥ１００は、ＰＤＣＣＨの受信結果をｅＮＢ２００に報告する。これにより、ｅＮＢ２００は、ＵＥ１００側でＰＤＣＣＨが受信できたか否かを把握することができ、無駄にＰＤＳＣＨを繰り返し送信するという事態を回避することができる。
【０１４７】
本実施形態のＵＥ１００の報告部１３４は、ｅＮＢ２００が送信するＰＤＣＣＨの受信結果をｅＮＢ２００に報告（通知）する。受信結果は、例えば「受信完了」、または、「未受信（または受信失敗）」としてもよい。
【０１４８】
また、ＵＥ１００は、ＰＤＣＣＨに対するＡＣＫ／ＮＡＣＫを、ｅＮＢ２００に送信することで、ＰＤＣＣＨの受信結果をｅＮＢ２００に報告してもよい。なお、当該ＡＣＫ／ＮＡＣＫは、繰り返し送信（repetition）してもよく、あるいは、繰り返し送信をしなくてもよい。
【０１４９】
あるいは、ＵＥ１００は、当該ＵＥ１００（あるいは、ＵＥ１００グループ）に割り当てられている個別リソースを用いて、受信結果をｅＮＢ２００に報告してもよい。個別リソースは、周期的に割り当てられても良い。また、周期的に割り当てられている場合であっても、ＰＤＣＣＨ受信タイミング直後のタイミングにのみ（あるいは、直後から所定期間）適用されてもよい（有効と見なされてもよい）。
【０１５０】
また、個別リソースは、従来のリソース（例えば、ＣＳＩ報告用リソース）が流用されてもよい。例えば、「未受信（または受信失敗）」の場合には、「ＯＯＲ」が送信されてもよい。
【０１５１】
（２）移動通信システムの動作
次に、移動通信システム１０の動作について説明する。
【０１５２】
図１７は、本実施形態のＵＥ１００とｅＮＢ２００の動作を示す図である。図１７（ａ）は、ＵＥ１００がＰＤＣＣＨを受信したことをｅＮＢ２００に報告する場合の動作を示す図である。ＵＥ１００は、ＰＤＣＣＨの受信タイミングにおいて、ＰＤＣＣＨを受信できた場合、ＰＤＳＣＨの受信を待つことなく、ＰＤＣＣＨの受信結果（受信完了またはＡＣＫ）をｅＮＢ２００に送信し、フィードバックする。
【０１５３】
ｅＮＢ２００は、ＵＥ１００から送信された受信結果を受信すると、ＵＥ１００がＰＤＣＣＨを受信できたとみなして、ＵＥ１００へのＰＤＳＣＨの送信を開始する。なお、ｅＮＢ２００は、ＵＥ１００からの受信結果を待つことなく、ＰＤＳＣＨの送信を開始してもよい。
【０１５４】
図１７（ｂ）は、ＵＥ１００がＰＤＣＣＨを受信できないことをｅＮＢ２００に報告する場合の動作を示す図である。ＵＥ１００は、ＰＤＣＣＨの受信タイミングにおいて、ＰＤＣＣＨを受信できない場合、ＰＤＳＣＨの受信を待つことなく、ＰＤＣＣＨの受信結果（未受信またはＮＡＣＫ）をｅＮＢ２００に送信し、フィードバックする。
【０１５５】
ｅＮＢ２００は、ＵＥ１００から送信された受信結果を受信すると、ＵＥ１００がＰＤＣＣＨを受信できなかったとみなして、ＵＥ１００へのＰＤＳＣＨの送信を開始しない。または、ｅＮＢ２００は、ＵＥ１００からの受信結果を待つことなく、ＰＤＳＣＨの送信を開始している場合は、ＰＤＳＣＨの送信を停止する。
【０１５６】
なお、ＵＥ１００は、ＰＤＣＣＨを受信できない場合、ＰＤＣＣＨの受信結果をｅＮＢ２００に送信しないこととしてもよい。この場合、ｅＮＢ２００は、ＰＤＣＣＨの送信から所定の時間が経過しても、ＵＥ１００から受信結果の報告がない場合は、ＵＥ１００がＰＤＣＣＨを受信できなかったとみなして、ＵＥ１００へのＰＤＳＣＨの送信を開始しない。または、ｅＮＢ２００は、ＵＥ１００からの受信結果を待つことなく、ＰＤＳＣＨの送信を開始している場合は、ＰＤＳＣＨの送信を停止する。
【０１５７】
なお、本実施形態は、適用タイミングが限定されていてもよい。例えば、ＤＲＸタイマによって、アクティブ状態になっている場合に限定されていてもよい。または、有効な上りリンク送信タイミングが確立されている場合（例えば、ＴＡタイマが起動している場合、個別リソースが割り当てられている場合）に限定されていてもよい。
【０１５８】
また、第１の実施形態で上述したように、ＵＥ１００のＥＣレベル、またはＵＥ１００がＬＣ（Low Complexity）−ＵＥか否かによって、本実施形態の制御を適用するか否かを判断することとしてもよい。
【０１５９】
（３）作用・効果
上述した第４実施形態によれば、以下のような作用効果が得られる。本実施形態では、ＵＥ１００は、ＰＤＣＣＨの受信タイミングにおいて、ＰＤＳＣＨの受信を待つことなく、ＰＤＣＣＨの受信結果をｅＮＢ２００に送信し、フィードバックする。
【０１６０】
これにより、本実施形態では、ｅＮＢ２００は、ＵＥ１００がＰＤＣＣＨを受信できたか否かを把握することができ、ＰＤＣＣＨの受信結果に応じて、ＰＤＳＣＨの送信を開始するか否か、または、送信中のＰＤＳＣＨの送信を停止するか否かを適切に判断することができる。
【０１６１】
したがって、本実施形態では、ＵＥ１００がＰＤＣＣＨを適切に受信できない場合に、ｅＮＢ２００がそれに気づかずにＰＤＳＣＨを送信し（または、ＰＵＳＣＨの受信を試み）、下りリンク（または、上りリンク）のリソースを浪費することを回避することができる。
【０１６２】
以上により、本実施形態では、信号を複数回繰り返し送受信することに起因する不具合を回避し、無線基地局との通信を適切に行うことなできる。
【０１６３】
［その他の実施形態］
以上、実施形態に沿って本発明の内容を説明したが、本発明はこれらの記載に限定されるものではなく、種々の変形及び改良が可能であることは、当業者には自明である。
【０１６４】
例えば、上述した第１実施形態から第４実施形態の何れかを組み合わせて、ＥＣモードにおける繰り返し送信の制御を行うこととしてもよい。
【０１６５】
また、本発明は、以下のように表現されてもよい。
【０１６６】
本発明の一態様は、無線基地局から送信される無線信号の受信電力レベルに応じた繰り返し送受信が実施される無線通信装置（例えば、ＵＥ１００）であって、繰り返し複数回送信される物理下りリンク制御チャネルを受信する受信部（ＤＬ信号受信部１１０）と、前記複数回送信される物理下りリンク制御チャネルを合成する合成部（合成部１３１）と、合成した物理下りリンク制御チャネルから、間欠受信制御におけるアクティブ状態を管理するためのタイマの起動要否を検出し、起動不要を検出した場合、前記タイマを起動することなく、既に起動済みのタイマを停止して、非アクティブ状態に遷移する間欠受信制御部（ＤＲＸ制御部１４０）と、を備えることを要旨とする。
【０１６７】
本発明の一態様は、無線基地局から送信される無線信号の受信電力レベルに応じた繰り返し送受信が実施される無線通信装置（例えば、ＵＥ１００）であって、繰り返し複数回送信される物理下りリンク制御チャネルと、繰り返し複数回送信される物理下りリンク共有チャネルとを受信する受信部（ＤＬ信号受信部１１０）と、前記複数回送信される物理下りリンク制御チャネルおよび前記複数回送信される物理下りリンク共有チャネルを合成する合成部（合成部１３１）と、合成した前記物理下りリンク制御チャネルに基づいた前記物理下りリンク共有チャネルの受信後に、間欠受信制御におけるアクティブ状態を管理するためのタイマを起動する間欠受信制御部（ＤＲＸ制御部１４０）と、を備え、前記間欠受信制御部は、前記タイマが満了した場合に非アクティブ状態に遷移することを要旨とする。
【０１６８】
本発明の一態様において、前記物理下りリンク共有チャネルの受信後は、前記物理下りリンク共有チャネルを所定回数受信したタイミング、前記物理下りリンク共有チャネルを最後に受信したタイミング、前記物理下りリンク共有チャネルを最初に受信したタイミング、前記物理下りリンク共有チャネルの復号に成功したタイミング、または、前記物理下りリンク共有チャネルに対するＡＣＫまたはＮＡＣＫを送信したタイミングであってもよい。
【０１６９】
本発明の一態様は、無線基地局から送信される無線信号の受信電力レベルに応じた繰り返し送受信が実施される無線通信装置（例えば、ＵＥ１００）であって、繰り返し複数回送信される物理下りリンク制御チャネルを受信する受信部（ＤＬ信号受信部１１０）と、前記複数回送信される物理下りリンク制御チャネルを合成する合成部（合成部１３１）と、前記物理下りリンク制御チャネルの復号に成功したタイミングで、間欠受信制御におけるアクティブ状態を管理するためのタイマを起動する間欠受信制御部（ＤＲＸ制御部１４０）と、を備え、前記間欠受信制御部は、最初に物理下りリンク制御チャネルの受信を試みる時点から前記タイマを起動した時点までの期間を加味したタイマ時間で、前記タイマを起動し、前記間欠受信制御部は、前記タイマが満了した場合に非アクティブ状態に遷移することを要旨とする。
【０１７０】
本発明の一態様は、無線基地局から送信される無線信号の受信電力レベルに応じた繰り返し送受信が実施される無線通信装置（例えば、ＵＥ１００）であって、繰り返し複数回送信される物理下りリンク制御チャネルを受信する受信部（ＤＬ信号受信部１１０）と、前記複数回送信される物理下りリンク制御チャネルを合成する合成部（合成部１３１）と、前記複数回送信される物理下りリンク制御チャネルのうち最後の前記物理下りリンク制御チャネルを受信したタイミングで、間欠受信制御におけるアクティブ状態を管理するためのタイマを起動する間欠受信制御部（ＤＲＸ制御部１４０）と、を備え、前記間欠受信制御部は、前記タイマが満了した場合に非アクティブ状態に遷移することを要旨とする。
【０１７１】
本発明の一態様は、無線基地局から送信される無線信号の受信電力レベルに応じた繰り返し送受信が実施される無線通信装置（例えば、ＵＥ１００）であって、繰り返し複数回送信される物理下りリンク制御チャネルを受信する受信部（ＤＬ信号受信部１１０）と、前記複数回送信される物理下りリンク制御チャネルを合成する合成部（合成部１３１）と、前記物理下りリンク制御チャネルを受信する度に、間欠受信制御におけるアクティブ状態を管理するためのタイマを起動する間欠受信制御部（ＤＲＸ制御部１４０）と、を備え、前記間欠受信制御部は、前記タイマが満了した場合に非アクティブ状態に遷移することを要旨とする。
【０１７２】
本発明の一態様は、無線基地局から送信される無線信号の受信電力レベルに応じてた繰り返し送受信が実施される無線通信装置（例えば、ＵＥ１００）であって、繰り返し複数回送信される物理下りリンク制御チャネルを受信する受信部（ＤＬ信号受信部１１０）と、前記物理下りリンク制御チャネルの復号を試み、復号に成功した場合、後続の繰り返し送信される物理下りリンク制御チャネルの復号を行わない、または、後続の繰り返し送信される物理下りリンク制御チャネルの復号に成功した場合は当該物理下りリンク制御チャネルを破棄する復号部（復号部１３２）と、を備え、前記受信部は、最初に復号に成功した物理下りリンク制御チャネルに基づいて、繰り返し複数回送信される物理下りリンク共有チャネルの受信を試みることを要旨とする。
【０１７３】
本発明の一態様は、無線基地局から送信される無線信号の受信電力レベルに応じた繰り返し送受信が実施される無線通信装置（例えば、ＵＥ１００）であって、繰り返し複数回送信される物理下りリンク制御チャネルを受信する受信部（ＤＬ信号受信部１１０）と、前記物理下りリンク制御チャネルの復号を試み、最初に復号に成功した後に、後続の繰り返し送信される物理下りリンク制御チャネルを用いて異なる物理下りリンク制御チャネルの復号に成功した場合、先に復号した物理下りリンク制御チャネルを破棄する復号部（復号部１３２）と、を備え、前記受信部は、後に復号した前記物理下りリンク制御チャネルに基づいて、繰り返し複数回送信される物理下りリンク共有チャネルの受信を試みることを要旨とする。
【０１７４】
本発明の一態様は、無線基地局から送信される無線信号の受信電力レベルに応じた繰り返し送受信が実施される無線通信装置（例えば、ＵＥ１００）であって、繰り返し複数回送信される物理下りリンク制御チャネルを受信する受信部（ＤＬ信号受信部１１０）と、前記物理下りリンク制御チャネルの復号を試み、最初に前記物理下りリンク制御チャネルの復号に成功した後であっても、後続の繰り返し送信される物理下りリンク制御チャネルを用いて異なる物理下りリンク制御チャネルの復号を試みる復号部（復号部１３２）と、を備え、前記受信部は、異なる複数の物理下りリンク制御チャネルの復号に成功した場合、復号に成功した各物理下りリンク制御チャネルに基づいて、繰り返し複数回送信される物理下りリンク共有チャネルの受信を試みることを要旨とする。
【０１７５】
上記のように、本発明の実施形態を記載したが、この開示の一部をなす論述及び図面はこの発明を限定するものであると理解すべきではない。この開示から当業者には様々な代替実施の形態、実施例及び運用技術が明らかとなろう。
【０１７６】
なお、日本国特許出願第2015-223485号（2015年11月13日出願）の全内容が、参照により、本願明細書に組み込まれている。
【産業上の利用可能性】
【０１７７】
上述した無線通信装置によれば、信号を複数回繰り返し送受信することに起因する不具合を回避し、無線基地局との通信を適切に行うことができる。
【符号の説明】
【０１７８】
１０  移動通信システム
２０  無線アクセスネットワーク
１００  ＵＥ
１１０  ＤＬ信号受信部
１２０  ＵＬ信号受信部
１３０  ＥＣ制御部
１３１  合成部
１３２  復号部
１３３  繰返送信部
１３４  報告部
１４０  ＤＲＸ制御部
１５０  処理部
２００  ｅＮＢ
２１０  ＤＬ信号送信部
２２０  ＵＬ信号受信部
２３０  ＥＣ制御部
２３１  合成部
２３２  復号部
２３３  繰返送信部
２４０  ＤＲＸ制御部
２５０  処理部  
【図１】
2017082244.tif 000003
【図２】
2017082244.tif 000004
【図３】
2017082244.tif 000005
【図４】
2017082244.tif 000006
【図５】
2017082244.tif 000007
【図６】
2017082244.tif 000008
【図７】
2017082244.tif 000009
【図８】
2017082244.tif 000010
【図９】
2017082244.tif 000011
【図１０】
2017082244.tif 000012
【図１１】
2017082244.tif 000013
【図１２】
2017082244.tif 000014
【図１３】
2017082244.tif 000015
【図１４】
2017082244.tif 000016
【図１５】
2017082244.tif 000017
【図１６】
2017082244.tif 000018
【図１７】
2017082244.tif 000019
【国際調査報告】
2017082244.tif 000020
2017082244.tif 000021